(57)【特許請求の範囲】
【請求項１】
被印刷媒体である布帛を保持する保持部材と、
印刷データに応じて前記保持部材上の布帛にインクを吐出するインク吐出部と、
前記印刷データにおいて指定される、印刷時に前記布帛を保持する前記保持部材の種別を記憶する種別記憶手段と、
新たに取得された印刷データにおいて指定されている保持部材の種別と、前記種別記憶手段に記憶されている前回の種別とを比較する比較手段と、
前記比較手段の比較の結果、前回と今回の種別が異なる場合に報知する報知手段とを備えたことを特徴とする布帛印刷装置。
【請求項２】
前記比較手段は、前記印刷データを外部機器から受信したときに、当該印刷データに含まれる種別と前回の種別とを比較することを特徴とする請求項１に記載の布帛印刷装置。
【請求項３】
前記比較手段は、取得した印刷データを印刷を実行する対象として決定したときに、当該印刷データに含まれる種別と前回の種別とを比較することを特徴とする請求項１に記載の布帛印刷装置。
【請求項４】
印刷開始を指示する指示手段を備え、
前記比較手段は、前記指示手段により印刷開始が指示されたときに当該指示された印刷の印刷データに含まれる種別と前回の種別とを比較することを特徴とする請求項１に記載の布帛印刷装置。
【請求項５】
前記報知手段は、音、光、及び表示の少なくとも１つにより報知することを特徴とする請求項１乃至４のいずれかに記載の布帛印刷装置。
【請求項６】
印刷データにおいて指定される、印刷時に布帛を保持する保持部材の種別を種別記憶手段に記憶する種別記憶ステップと、
新たに取得された印刷データにおいて指定されている保持部材の種別と、前記種別記憶手段に記憶されている前回の種別とを比較する比較ステップと、
前記比較ステップにおける比較の結果、前回と今回の種別が異なる場合に報知する報知ステップとを備えたことを特徴とする種別報知方法。
【請求項７】
請求項１乃至５のいずれかに記載の布帛印刷装置の各種処理手段としてコンピュータを機能させるための布帛印刷プログラム。
【発明の詳細な説明】
【技術分野】
【０００１】
本発明は、布帛印刷装置、種別報知方法及び布帛印刷プログラムに関するものである。
【背景技術】
【０００２】
従来から、布帛をプラテン（保持部材）上に設置して、布帛にインクジェットヘッドからインクを吐出して所望の画像を形成する布帛印刷装置が提案されている。このような布帛印刷装置では、プラテンは平面上の保持面を有し、操作者がその保持面に布帛を被せてセットする。例えば、布帛の一例であるＴシャツでは、さまざまなサイズがあり、そのサイズに合わせて複数の種別のプラテンが用意されている。また、Ｔシャツにポケットがあり、ポケットにワンポイント模様を印刷したい場合のために、ポケット用のプラテンを別途用意する提案もなされている（例えば、特許文献１参照）。
【特許文献１】特開２００４−２９１３９９号公報
【発明の開示】
【発明が解決しようとする課題】
【０００３】
上記のように、布帛印刷装置におけるプラテンの種別は、紙に印刷を行う印刷装置の場合の用紙サイズや用紙カセット種別に相当する。印刷データで指定された種別のプラテンが装着されていない場合には、うまく印刷が実行されず、布帛を無駄に消費してしまうおそれがある。このため、装着されているプラテンの種別をセンサにより検出し、印刷データで指定されているプラテンと同一であるかどうかを確認する機構を設けているものもある。しかしながら、このような機構を設けるには、専用の部材を必要とするため、構造が複雑化する問題がある。
【０００４】
本発明は上記問題を解決するためになされたものであり、保持部材の交換が必要な場合に報知する布帛印刷装置、種別報知方法及び布帛印刷プログラムを提供することを目的とする。
【課題を解決するための手段】
【０００５】
上記目的を達成するため、本発明の請求項１に記載の布帛印刷装置は、被印刷媒体である布帛を保持する保持部材と、印刷データに応じて前記保持部材上の布帛にインクを吐出するインク吐出部と、前記印刷データにおいて指定される、印刷時に前記布帛を保持する前記保持部材の種別を記憶する種別記憶手段と、新たに取得された印刷データにおいて指定されている保持部材の種別と、前記種別記憶手段に記憶されている前回の種別とを比較する比較手段と、前記比較手段の比較の結果、前回と今回の種別が異なる場合に報知する報知手段とを備えたことを特徴とする。
【０００６】
また、本発明の請求項２に記載の布帛印刷装置は、請求項１に記載の発明の構成に加え、前記比較手段が、前記印刷データを外部機器から受信したときに、当該印刷データに含まれる種別と前回の種別とを比較することを特徴とする。
【０００７】
また、本発明の請求項３に記載の布帛印刷装置は、請求項１に記載の発明の構成に加え、前記比較手段が、取得した印刷データを印刷を実行する対象として決定したときに、当該印刷データに含まれる種別と前回の種別とを比較することを特徴とする。
【０００８】
また、本発明の請求項４に記載の布帛印刷装置は、請求項１に記載の発明の構成に加え、印刷開始を指示する指示手段を備え、前記比較手段は、前記指示手段により印刷開始が指示されたときに当該指示された印刷の印刷データに含まれる種別と前回の種別とを比較することを特徴とする。
【０００９】
また、本発明の請求項５に記載の布帛印刷装置は、請求項１乃至４のいずれかに記載の発明の構成に加え、前記報知手段が、音、光、及び表示の少なくとも１つにより報知することを特徴とする。
【００１０】
また、本発明の請求項６に記載の種別報知方法は、印刷データにおいて指定される、印刷時に布帛を保持する保持部材の種別を種別記憶手段に記憶する種別記憶ステップと、新たに取得された印刷データにおいて指定されている保持部材の種別と、前記種別記憶手段に記憶されている前回の種別とを比較する比較ステップと、前記比較ステップにおける比較の結果、前回と今回の種別が異なる場合に報知する報知ステップとを備えたことを特徴とする。
【００１１】
また、本発明の請求項７に記載の布帛印刷プログラムは、請求項１乃至５のいずれかに記載の発明の各種処理手段としてコンピュータを機能させる。
【発明の効果】
【００１２】
本発明の請求項１に記載の布帛印刷装置は、印刷データで指定されている保持部材の種別を前回と今回とで比較し、前回と今回の種別が異なる場合に報知する。従って、センサ等の特別な構造を要せず保持部材の交換が必要なときに使用者の注意を喚起することができる。
【００１３】
また、本発明の請求項２に記載の布帛印刷装置は、請求項１に記載の発明の効果に加え、外部機器から印刷データを受信したタイミングで比較を行う。従って、早めに比較を行って、報知を行うことができる。
【００１４】
また、本発明の請求項３に記載の布帛印刷装置は、請求項１に記載の発明の効果に加え、取得した印刷データを印刷を実行する対象として決定したときに、比較を行う。従って、実際に印刷する対象の種別について確実に報知を行うことができる。
【００１５】
また、本発明の請求項４に記載の布帛印刷装置は、請求項１に記載の発明の効果に加え、印刷開始ボタンのような指示手段により印刷開始が指示されたときに比較を行う。従って、実際に印刷する対象の種別について確実に報知を行うことができる。
【００１６】
また、本発明の請求項５に記載の布帛印刷装置は、請求項１乃至４のいずれかに記載の発明の効果に加え、音、光、及び表示の少なくとも１つにより報知するので、簡単な構成で使用者の注意を促すことができる。
【００１７】
また、本発明の請求項６に記載の種別報知方法は、印刷データで指定されている保持部材の種別を前回と今回とで比較し、前回と今回の種別が異なる場合に報知する。従って、センサ等の特別な構造を要せず保持部材の交換が必要なときに使用者の注意を喚起することができる。
【００１８】
また、本発明の請求項７に記載の布帛印刷プログラムは、コンピュータに実行させることにより、請求項１乃至５のいずれかに記載の発明の各種処理手段としての作用効果を奏することができる。
【発明を実施するための最良の形態】
【００１９】
以下、本発明の実施の形態を図面を参照して説明する。図１は、布帛印刷装置１の全体的な構成を示した斜視図である。本発明にかかる布帛印刷装置の一例としては、パーソナルコンピュータ（ＰＣ）２００（図２参照）で作成された印刷データを受信し、その印刷データの印刷を行う布帛用のインクジェットプリンタである布帛印刷装置１を例に挙げて説明する。尚、本実施形態の布帛印刷装置１では、ＣＭＹＫ方式による４種類のインク（シアンインク、マゼンタインク、イエローインク、ブラックインク）が用いられている。
【００２０】
図１に示すように、布帛印刷装置１は、左右方向を長手方向とする略直方体形状の筐体２を有し、その底面の略中央に、前後方向に向かう２本のレール３が列設されている。２本のレ−ル３は、筐体２の垂直方向に立ち上げられた図示外の基部上にそれぞれ支持されており、その上部に、レール３に沿って筐体２の前後方向に移動可能な平板状のプラテン支持台（図示外）を支えている。そして、プラテン支持台の略中央に垂直に立ち上げられた支柱の上端には、取り換え可能なプラテン５が固定されている。
【００２１】
プラテン５は、平面視、筐体２の前後方向を長手方向とする略長方形状の板体であり、プラテン５の上面には、シート状部材５０が設けられている。シート状部材５０は、木綿布からなり、印刷面を緊張状態にして設置されるＴシャツ等の設置位置が印刷中にずれたりしないようにするための支持面を形成する。このシート状部材５０の上面に、例えばＴシャツなどの布帛からなる被記録媒体が水平に設置される。
【００２２】
また、プラテン５とプラテン支持台との間の略中間の位置には、トレー４が支柱に固定されている。トレー４は、プラテン５の上面と略平行な底面を有し、平面視、その外周がプラテン５より一回り大きめに構成されている。このトレー４は、利用者がＴシャツ等をプラテン５に設置する際に、Ｔシャツのそで等を受けて筐体２の底面には落ちないように保護するためのものである。
【００２３】
また、プラテン支持台を移動させるためにレール３が設けられたプラテン駆動機構６の後端部にはプラテン駆動モータ７が設けられて、このプラテン駆動モータ７の駆動によって、プラテン支持台がレール３に沿って筐体２の前後方向に移動する。すなわち、プラテン駆動モータ７の駆動軸と、レール３の前端（筐体２の前面側にあたるレール３の端部）付近に設けられたプーリー（図示外）との間に駆動ベルト（図示外）が架け渡されており、その駆動ベルトに固定されたプラテン支持台が、ステッピングモータであるプラテン駆動モータ７の駆動によってレール３に沿って筐体２の前後方向に往復移動されるようになっている。
【００２４】
また、筐体２の前後方向の略中央で、かつ、プラテン５の上方の位置にて、筐体２の両側面間には、インクジェットヘッド２１ａ〜２１ｄを搭載したキャリッジ２０の移動を案内するためのガイドレール９が架設されている。このガイドレール９の左端付近に設けられたキャリッジモータ２４と、右端付近に設けられたプーリー２５との間に架設されているキャリッジベルト２６は、ガイドレール９よりも下方の位置にて筐体２の左右にわたって配置されている。キャリッジベルト２６はキャリッジ２０の背面に固定されており、キャリッジモータ２４の駆動によって、同じく背面に設けられた係合部（図示外）に係合されたガイドレール９に沿って、キャリッジ２０が筐体２の左右方向に往復移動されるようになっている。キャリッジモータ２４はＤＣモータであり、ガイドレール９に設けられたリニアエンコーダ（図示外）からの出力に基づき、キャリッジ２０の位置検出が行われる。
【００２５】
また、布帛印刷装置１では、シアンインク，マゼンタインク，イエローインク，ブラックインクが用いられている。そこで、布帛印刷装置１の左側面には、各インクを収容したインクカートリッジを着脱可能に収容するためのインクカートリッジ収容部３０ａ〜３０ｄがそれぞれ設けられている。図１に示すように、筐体２の前側から順にインクカートリッジ収容部３０ａ、インクカートリッジ収容部３０ｂ、インクカートリッジ収容部３０ｃ、インクカートリッジ収容部３０ｄの４つのインクカードリッジ収容部３０ａ〜３０ｄが設けられている。インクカートリッジ収容部３０ａ〜３０ｄには、それぞれブラックインクのインクカートリッジ、シアンインクのインクカートリッジ、マゼンタインクのインクカートリッジ、イエローインクのインクカートリッジが収容されている。
【００２６】
各インクカートリッジ収容部３０ａ〜３０ｄには、インク供給用チューブ１０ａ，１０ｂ，１０ｃ，１０ｄが連結されており、ガイド部材４０及びチューブ支持部材６０を経由して、各色のインクジェットヘッド２１ａ〜２１ｄに接続されている。尚、このインク供給用チューブ１０ａ〜１０ｄは、ポリエチレン等からなる可撓性のチューブであり、布帛印刷装置１において、キャリッジ２０の移動等に対応して屈曲や捩れが生じるような柔軟性を有する。また、ガイド部材４０は、筐体２の左右方向の略中央であって、プラテン５の上方の位置に設けられ、キャリッジ２０の背後において４本のインク供給用チューブ１０ａ〜１０ｄを支持する。そして、チューブ支持部材６０は、キャリッジ２０の上端に設けられて４本のインク供給用チューブ１０ａ〜１０ｄを支持する。
【００２７】
キャリッジ２０には、左側からインクジェットヘッド２１ａ、インクジェットヘッド２１ｂ、インクジェットヘッド２１ｃ、インクジェットヘッド２１ｄの順でインクジェットヘッド２１ａ〜２１ｄが搭載されている。インクジェットヘッド２１ａ〜２１ｄは、各インクを噴射するための、噴射チャンネル（図示外）を例えば１２８個ずつそれぞれ備えている。各噴射チャンネルには、各々個別に駆動される圧電アクチュエータ（図示外）が設けられ、各噴射チャンネルに対応してインクジェットヘッド２１ａ〜２１ｄの底面に孔設された微細な噴射ノズル（図示外）から下向きに、インクの液滴が噴射されるように制御されている。
【００２８】
すなわち、インクカートリッジ収容部３０ａに収容されているブラックインクが、インク供給用チューブ１０ａによってインクジェットヘッド２１ａに供給され、噴射ノズルから噴射される。また、インクカートリッジ収容部３０ｂに収容されているシアンインクが、インク供給用チューブ１０ｂによってインクジェットヘッド２１ｂに供給され、噴射ノズルから噴射される。また、インクカートリッジ収容部３０ｃに収容されているマゼンタインクが、インク供給用チューブ１０ｃによってインクジェットヘッド２１ｃに供給され、噴射ノズルから噴射される。また、インクカートリッジ収容部３０ｄに収容されているイエローインクが、インク供給用チューブ１０ｄによってインクジェットヘッド２１ｄに供給され、噴射ノズルから噴射される。
【００２９】
また、キャリッジ２０がガイドレール９の右端に移動した位置には、各インクジェットヘッド２１ａ〜２１ｄのノズル面に対して密着・離脱が可能な吸引キャップ２３を有するパージユニット２２が設けられている。パージユニット２２には吸引ポンプ（図示外）が設けられており、各吸引キャップ２３がインクジェットヘッド２１ａ〜２１ｄに密着しているときに、吸引キャップ２３を介してインクの吸引を行うことが可能となっている。また、印刷が行われないときには吸引キャップ２３でインクジェットヘッド２１ａ〜２１ｄのノズル面が覆われ、インクの乾燥が防止されている。
【００３０】
尚、ガイドレール９よりも前方の位置にて筐体２の左右にわたってクリアランスセンサ８が設けられている。クリアランスセンサ８は、記録実行時にプラテン５がレール３に沿って筐体２の前方から後方へ移動する際に、プラテン５に設置された被記録媒体の皺やゴミなどの障害物を検出する。
【００３１】
また、筐体２の右側手前の位置には、布帛印刷装置１の操作を行うための操作パネル２８が設けられている。操作パネル２８の上部には、各種のランプ１７４、ディスプレイ１７５(図２参照)が設けられている。また、操作パネル２８には、操作指示のための各種のボタン１８２(図２参照)が設けられている。
【００３２】
次に、図２〜図４を参照して、布帛印刷装置１の電気的構成について説明する。図２は、本実施形態の布帛印刷装置１の電気的構成を示すブロック図であり、図３は、ＲＯＭ１２０の記憶エリアを示す概念図であり、図４は、ＲＡＭ１３０の記憶エリアを示す概念図である。
【００３３】
図２に示すように、布帛印刷装置１には、布帛印刷装置１の主制御を司るＣＰＵ１１０が設けられており、ＣＰＵ１１０には、バス１９０を介し、ＲＯＭ１２０、ＲＡＭ１３０が接続されている。
【００３４】
またＣＰＵ１１０には、バス１９０を介して、ヘッド駆動部１４０と、モータ駆動部１５０と、通信制御部１６０とが接続されている。ヘッド駆動部１４０は、インク噴射を行うインクジェットヘッド２１ａ〜２１ｄの各噴射チャンネルに設けられた圧電アクチュエータ（図示外）を駆動させる。モータ駆動部１５０は、キャリッジモータ２４及びプラテン駆動モータ７をそれぞれ制御して駆動させる。キャリッジモータ２４は、インクジェットヘッド２１ａ〜２１ｄを搭載したキャリッジ２０を駆動する。プラテン駆動モータ７は、印刷時に被印刷対象の布帛であるＴシャツを保持するプラテン５を送り出すタイミングや速度を調整するプラテンローラ（図示外）を駆動する。
【００３５】
さらに、ＣＰＵ１１０には、バス１９０を介して、表示制御部１７０及び入力検知部１８０が接続されている。表示制御部１７０は、操作パネル２８に設けられたディスプレイ１７５、ランプ１７４の表示処理を行う。入力検知部１８０は、ボタン１８２の入力の検知を行う。ボタン１８２の入力としては、たとえば、ディスプレイ１７５に表示されたメニューの選択、切り替え、印刷の開始指示、印刷の中止指示がある。
【００３６】
また、ＣＰＵ１１０には、バス１９０を介して、音声制御部２００及びメモリカード制御部２１０が接続されている。音声制御部２００は、スピーカ８０を制御する。スピーカ８０からは、エラー音やプリントジョブ完了音が発音される。メモリカード制御部２１０は、印刷データを記憶したメモリカード７０の読み書きを制御する。
【００３７】
次に、図３を参照して、ＲＯＭ１２０の記憶エリアについて説明する。図３に示すように、ＲＯＭ１２０には、プログラム記憶エリア１２１と、音データ記憶エリア１２２とが少なくとも設けられている。プログラム記憶エリア１２１には、布帛印刷装置１の動作を制御するための制御プログラム、印刷処理を実行するための印刷実行プログラムが記憶されている。音データ記憶エリア１２２には、エラーを報知するための音データ、プリントジョブ（後述）のロード完了の際、プラテン交換を促すための音データ、プラテン交換不要を意味する音データが記憶されている。
【００３８】
また、図４に示すように、布帛印刷装置１のＲＡＭ１３０には、プリントジョブ記憶エリア１３１と、プラテン種別記憶エリア１３２とが少なくとも設けられている。プリントジョブ記憶エリア１３１には、ＰＣ２００から受信したり、メモリカード７０から読み出されたりしてロードされた印刷データ（以下、「プリントジョブ」という。）が記憶される。プラテン種別記憶エリア１３２には、プリントジョブに含まれているプラテン種別が記憶される。
【００３９】
次に、図５を参照してプリントジョブのデータ構造について説明する。図５は、プリントジョブ３００のデータ構造を示す説明図である。図５に示すように、プリントジョブ３００は、そのプリントジョブの属性を示す属性情報３２０と、印刷される絵柄である画像情報３３０とから構成されている。また、プリントジョブ３００の先頭にはジョブ先端識別子３１０が、プリントジョブ３００の末尾にはジョブ終端識別子３４０が付されている。これらは、プリントジョブ３００の解析の際に、プリントジョブの先頭及び末尾の識別を容易にするためのものである。
【００４０】
属性情報３２０は、画像情報３３０を解析したり印刷したりするために必要な各種のパラメータや操作パネル２８に表示される情報である。例えば、グラフィック解像度３２１，プラテン種別３２２，データ名称３２３，印刷指示枚数３２４が挙げられる。プラテン種別３２２には、布帛印刷装置１に用意されている各種のプラテンが区別できる値が設定される。例えば、「１０×１２インチ」、「１４×１６インチ」、「大人用」、「子供用」、「ＬＬサイズ」、「Ｌ」、「Ｍ」、「Ｓ」、「ＳＳ」、「ポケット用」、「スリーブ用」が挙げられる。尚、プラテン種別３２２の値は、プラテンの種類が識別可能であれば、文字であっても数値であってもよい。
【００４１】
画像情報３３０には、印刷する絵柄のグラフィックデータ３３１そのものが格納される。グラフィックデータ３３１のデータ形式は、布帛印刷装置１により規定される。
【００４２】
次に、以上の構成の布帛印刷装置１の動作について、図６を参照して説明する。図６は、布帛印刷装置１の印刷処理のフローチャートである。
【００４３】
図６に示すように、布帛印刷装置１の電源がＯＮされると、初期化処理の後、使用者からの操作入力を待機する。待機状態において、入力検知部１８０により入力が検知された場合には、それが印刷開始ボタンの押下であるかどうかを判断する（Ｓ１）。印刷開始ボタンの押下であれば（Ｓ１：ＹＥＳ）、プリントジョブが既にロードされてプリントジョブ記憶エリア１３１に格納されているかどうかを判断する（Ｓ５）。
【００４４】
例えば、電源投入直後のように、プリントジョブがプリントジョブ記憶エリア１３１にロードされていない状態では（Ｓ５：ＮＯ）、印刷開始ボタンが押されていても印刷は実行されないので、そのまま待機状態に戻る。
【００４５】
プリントジョブがロード済であれば（Ｓ５：ＹＥＳ）、そのプリントジョブに従って印刷を実行する（Ｓ１０）。印刷完了後、そのプリントジョブ３００に含まれているプラテン種別３２２を、ＲＡＭ１３０のプラテン種別記憶エリア１３２に記憶する（Ｓ１５）。尚、プラテン種別３２２を記憶するタイミングは、このように印刷完了後であっても、印刷を開始するときであってもよい。また、プリントジョブがプリントジョブ記憶エリア１３１にロードされたときであってもよい。
【００４６】
一方、入力が印刷開始ボタンでない場合には（Ｓ１：ＮＯ）、プリントジョブのロードであるかどうかを判断する（Ｓ２０）。プリントジョブのロードでなければ（Ｓ２０：ＮＯ）、入力に応じたその他の処理を実行し（Ｓ５０）、待機状態に戻る。
【００４７】
プリントジョブのロード指示であれば（Ｓ２０：ＹＥＳ）、プリントジョブをロードしてプリントジョブ記憶エリア１３１に記憶する（Ｓ２５）。プリントジョブのロードは、ＰＣ２００から受信したものを格納する方法、メモリカード７０内のプリントジョブを読み込んで格納する方法のいずれであってもよい。メモリカード７０以外の記録媒体を使用してもよい。
【００４８】
プリントジョブのロードが完了したら、次に、ロードされてプリントジョブ記憶エリア１３１にあるプリントジョブ３００のプラテン種別３２２と、前回の印刷完了時にプラテン種別記憶エリア１３２に記憶された（Ｓ１５参照）プラテン種別とを比較する（Ｓ３０）。
【００４９】
前回とプラテン種別３２２が同一であれば（Ｓ３５：ＹＥＳ）、ＲＯＭ１２０の音データ記憶エリア１２２からプラテン交換不要の音データを読み出しスピーカ８０から出力する（Ｓ４０）。この発音により、プリントジョブのロード完了とプラテンの交換不要とが使用者に報知される。そして、待機状態に戻る。
【００５０】
前回とプラテン種別３２２が異なる場合には（Ｓ３５：ＮＯ）、ＲＯＭ１２０の音データ記憶エリア１２２からプラテン交換必要の音データを読み出しスピーカ８０から出力する（Ｓ４５）、この発音により、プリントジョブのロード完了とプラテンの交換が必要である旨とが使用者に報知される。そして、待機状態に戻る。
【００５１】
以上説明したように、本実施形態の布帛印刷装置１によれば、印刷を実行したときには、プリントジョブ３００に含まれるプラテン種別が記憶される。そして、新たにプリントジョブ３００がロードされたときには、そのプリントジョブ３００に含まれるプラテン種別を、既に記憶されている前回のプラテン種別と比較する。今回のプラテン種別と前回のプラテン種別が同じ場合と異なる場合とで、別の音を用意してプリントジョブ３００のロード完了音を出力する。これによって、使用者は、ロード完了と同時にプラテンの交換の要不要を知ることができ、センサのような特別の構成を要せずに簡便にプラテンの交換を促すことができる。このため、プラテンの装着ミスによる印刷の失敗を簡易に防ぐことができる。
【００５２】
尚、上記実施形態において、プラテン５が本発明の保持部材に相当する。また、プラテン種別記憶エリア１３２が本発明の種別記憶手段に相当する。また、図６のＳ３０でプラテン種別を比較するＣＰＵ１１０が本発明の比較手段に相当する。また、図６のＳ４５で要交換音を出力するＣＰＵ１１０が本発明の報知手段に相当する。また、ボタン１８２が本発明の指示手段に相当する。
【００５３】
尚、本発明は、上記実施形態に限らず、種々の変更が可能である。例えば、上記実施形態では、プラテン種別記憶エリアをＲＡＭ１３０内に設けた。これに限らず、例えばフラッシュメモリやＥＥＰＲＯＭのような書換可能な不揮発性メモリ上に設けてもよい。
【００５４】
また、上記実施形態では、ＲＯＭ１２０内にプリントジョブロード完了とプラテンの交換の要不要を報知するための音データを記憶する音データ記憶エリア１２２を設けた。これに限らず、音データをデータとして保持せずにプログラムによって自動生成するようにしてもよい。
【００５５】
また、プラテンの交換の要不要の報知は、音での報知に限らない。ランプ１７４の点灯、ディスプレイ１７５への表示、これらの組合せであってもよい。
【００５６】
また、報知のタイミングは、プリントジョブのＰＣ２００からの受信時、メモリカード７０からの読み込み時であってもよい。さらに、プリントジョブ記憶エリア１３１に複数のプリントジョブを記憶可能とし、そのうちの１つを印刷対象ジョブとする構成をとってもよい。この場合には、印刷対象ジョブに決定したときに報知を行ってもよい。
【図面の簡単な説明】
【００５７】
【図１】布帛印刷装置１の全体的な構成を示した斜視図である。
【図２】本実施の形態の布帛印刷装置１の電気的構成を示すブロック図である。
【図３】ＲＯＭ１２０の記憶エリアを示す概念図である。
【図４】ＲＡＭ１３０の記憶エリアを示す概念図である。
【図５】プリントジョブ３００のデータ構造を示す説明図である。
【図６】布帛印刷装置１の印刷処理のフローチャートである。
【符号の説明】
【００５８】
１      布帛印刷装置
５      プラテン
２１ａ〜２１ｄ      インクジェットヘッド
２８      操作パネル
８０      スピーカ
１１０      ＣＰＵ
１２０      ＲＯＭ
１２２      音データ記憶エリア
１３０      ＲＡＭ
１３１      プリントジョブ記憶エリア
１３２      プラテン種別記憶エリア
１７４      ランプ
１７５      ディスプレイ
１８２      ボタン
２１０      メモリカード制御部
３００      プリントジョブ
３２２      プラテン種別
【図１】
0004978374.tif 000002
【図２】
0004978374.tif 000003
【図３】
0004978374.tif 000004
【図４】
0004978374.tif 000005
【図５】
0004978374.tif 000006
【図６】
0004978374.tif 000007